(57)【要約】隠された区画１７を備えた時計装置１である。区画１７には常設または取り外し可能な心理的メッセージおよび／または印刷メッセージ、画像あるいは写真３７が含まれる。装置１は裏本体１３に対して回転可能な時計片９を備える。裏本体１３の下面には裏本体１３にメッセージ３７を入れるために取外し式扉３１を備える。使用者は時計片９を上方に開けて、隠された区画１７にあるメッセージ３７を見ることができる。
2005528624.tif 000002
【特許請求の範囲】
【請求項１】
時計文字盤と下面とを備えた時計片と、
ハウジングが含まれ、ねじを切った枠を有し、前記時計片を支持する裏本体アセンブリと、
前記裏本体アセンブリの外側に設けられ、ねじ付き枠に螺合させるため周囲にねじを切った裏板を有し、上面は平坦でメッセージを収納するメッセージ保持部材となり、周囲に支持舌部を有する取外し式扉と、
前記時計片を前記裏本体アセンブリに取り付ける取付け部品と、
前記取外し式メッセージ保持部材を収納するため前記裏本体アセンブリと前記時計片の間に形成され、前記時間片を前記裏本体アセンブリングに対して閉じたときに隠される秘密区画と
から構成された時計アセンブリ。
【請求項２】
前記取外し式扉の前記メッセージ保持部材と前記時計片の下面との間の前記ハウジング  
内に透明パネルが設けられた請求項１に記載の時計アセンブリ。
【請求項３】
前記透明パネルの材料はガラスおよびプラスチックからなる群から選択された１つの材料である請求項２に記載の時計アセンブリ。
【請求項４】
前記透明パネルを前記秘密区画に配置することによって前記透明パネルと前記時計片の下面との間に上部区画が、また前記透明パネルと前記取外し式扉との間に下部区画が形成される請求項３に記載の時計アセンブリ。
【請求項５】
前記取付け部品は前記時計片と前記裏本体アセンブリを互に結合するヒンジで構成され、前記時間片は閉位置から開位置まで前記裏本体アセンブリ上で回転可能であり、前記時間片を開位置にしたとき前記秘密区画が見えるようになる請求項１に記載の時計アセンブリ。
【請求項６】
前記裏本体アセンブリに対して前記時計片を回転させるため前記時計片に把持部品が含まれる請求項５に記載の時計アセンブリ。
【請求項７】
前記把持部品はメッセージを保持する面を備える請求項５に記載の時計アセンブリ。
【請求項８】
前記取外し式扉は前記裏本体アセンブリの前記ねじ付き裏板と前記取外し式扉の前記ねじ付き枠との螺合によって前記裏本体アセンブリに固定され、前記取外し式扉の前記裏板の外面には前記裏本体アセンブリに対して前記扉にねじ締め回転工具を差し込むスロットが設けられた請求項１に記載の時計アセンブリ。
【請求項９】
前記時計片を閉位置に保持するロック装置を設けた請求項１に記載の時計アセンブリ。
【請求項１０】
前記ロック装置は
前記裏本体アセンブリから延びるピンと、
前記時計片が閉位置にあるとき時計片をその位置にロックするため、前記ピンを収納することのできる前記時計片のフランジと、
前記時計片を前記裏本体アセンブリから移動する前記フランジに取リ付けたノブとから構成されたピンアセンブリである請求項９に記載の時計アセンブリ。
【請求項１１】
前記メッセージ保持部材と前記ハウジングはほぼ同一形状である請求項１に記載の時計アセンブリ。
【請求項１２】
前記メッセージ保持部材および前記ハウジングは三角形、正方形、円形、楕円形、八角形、矩形および多角形からなる群から選択された１つの形状を有する請求項１１に記載の時計アセンブリ。
【請求項１３】
前記メッセージ保持部材上の前記メッセージは可視メッセージ、記号意匠、絵画および写真からなる群からなる選択されたものである請求項１１に記載の時計アセンブリ。
【請求項１４】
時計文字盤と下面とを備えた時計片と、
ハウジングが含まれ、枠を有し、前記時計片を支持する裏本体アセンブリと、
前記裏本体アセンブリの外側に設けられた回転式扉であって、第１のピンを収納するため貫通した孔を有する第１のハウジングと、第２のピンを収納するため貫通した孔を有する第２のハウジングを備え、前記回転式扉から上方に延びる環状壁によって持上げ面が形成された回転式扉と、
前記時計片を前記裏本体アセンブリに取り付ける取付け部品と、
前記回転式扉の前記持上げ面を収納するため前記裏本体アセンブリと前記時計片の間に形成され、前記時間片を前記裏本体アセンブリングに対して閉じたときに隠される秘密区画と
から構成された時計アセンブリ。
【請求項１５】
前記回転式扉の前記持上げ面と前記時計片の下面との間の前記ハウジング内に透明パネルが設けられた請求項１４に記載の時計アセンブリ。
【請求項１６】
前記裏本体アセンブリには第１の区画と第２の区画が含まれ、２つの前記区画は前記裏本体アセンブリに対向配置されて前記各ハウジングを内部に収納して固定することができ、前記第１の区画および前記第２の区画には裏壁と対向配置された一対の側壁と底壁とが含まれる請求項１４に記載の時計アセンブリ。
【請求項１７】
前記第１の区画の前記側壁には貫通する孔が形成され、前記第２の区画の前記側壁には嵌合孔が形成される請求項１６に記載の時計アセンブリ。
【請求項１８】
前記第１のハウジングは前記裏扉を前記裏本体アセンブリに対して回転させるため前記第１の区画内で回転可能である請求項１４に記載の時計アセンブリ。
【請求項１９】
前記第２のハウジングは前記第２の区画から取外し可能である請求項１４に記載の時計アセンブリ。
【請求項２０】
前記第１および第２のピンはそれぞれ第１および第２の端部を備え、少なくとも１つの前記ピンは、１つは前記第１の端部に他の１つは前記第２の端部に一対で設けられた引込み式ボールベアリングで構成され、前記第２の区画の嵌合孔は前記回転式扉を閉じた状態に固定するため前記引込み式ボールベアリングを収納する請求項１４に記載の時計アセンブリ。
【発明の詳細な説明】
【技術分野】
【０００１】
本発明は置き時計、時計片および時計に関し、特に通常の機能を達成する外面部を有する時計裏部すなわち裏本体から時計面を回転できる腕時計に関するが、これに限定されるものではない。
【背景技術】
【０００２】
多くの様々な時計が市販されており、時計面に時刻以外の情報を表示するものが知られている。このような他の情報には日付け、測定した期間中に経過した時間、電話番号、コンピュータ出力などがある。
【０００３】
時計面が移動式になっている時計もある。時計面をはね上げて時計裏にもってきたり、回転させたり、裏返して時計面の裏面の美術的メッセージなどを見る「裏返し」時計がある。時計裏本体の裏面（腕に接する時計部分）に印を付けることはよく知られている。
【０００４】
時計面を動かしたり、時計面を覆ったり、時計に関連する別の機能的部分を見たりするために移動可能な付属品を付けた時計がある。特許文献１にはバンド裏本体から取り外して玩具の飛行機に取り換える腕時計が示されている。特許文献２にはヒンジ式カバーのある計算機付き腕時計が開示されている。特許文献３には腕時計、計算機および電話索引を保持する腕バンドが開示され、これらは使用時にそれぞれ他の上部にヒンジで回転させてアクセスできるようになっている。また別の意匠特許として特許文献４には時計裏本体と時計面の裏面の間に容器カバーをヒンジで取り付けた腕時計がある。特許文献５には類似の装置が示される。
【０００５】
時計自体の機能以外に移動可能な部品を備えた時計を示す数多くの特許がある。特許文献６には異なるサイズの時計を保持する調整式ばねフォークのある時計バンドがある。時計ケースの取付けは特許文献７に示され、時計面は時計の裏本体を備えた時計バンドに取り外し可能に保持される。時計面を回転して別の時計を現すヒンジ式配置が特許文献８に示される。一方の時計はアナログで、他方の時計はデジタルである。特許文献９には時計に隣接してメモケースを配置した時計が記載されている。表示面は固定され、メモ部がそれに隣接する。メモ部は印刷カードで置きかえることができる。このようにして時計裏本体は印刷カードの容器となる。
【０００６】
特許文献１０は証明書装置と時計を組合せたものを開示する。時計面は携帯者の医療情報を記したマイクロフィルムを保持する台の上にヒンジで取り付けられる。時計面を開けると、上方に付勢されたパネルでマイクロフィルムが見える。マイクロフィルムはパネルの１つに保持され、別のパネルにはマイクロフィルムに焦点を合わせるレンズが備わる。時計裏本体そのものは、実際は折り畳んだパネルを保持する容器に過ぎない。
【０００７】
特許文献１１は交換可能な要素を備えるモジュール時計を示す。特許文献１２には救助時計が記載され、この時計アセンブリには、装置を膨張させる空気を供給したり、救助時計を自己防衛に使用するときに暴漢にスプレーを噴射したりするため加圧液体あるいは加圧気体を保持する容器が備わる。上記時計の中には裏返し式の時計がある。最近売られている別の裏返し時計はバスキュランテ時計と呼ばれる。しかし、この時計にも上記の他の時計にも、有効な機能を達成するために時計が通常置かれる板である時計裏本体にいかなる要素も付いていない。
【０００８】
特許文献１３には携帯者の個人的証明書および／または医療情報が含まれる時計片が開示される。この特許文献１３の装置は開位置と閉位置の間でヒンジ周りに回転するハウジングあるいはケースを備える。この特許文献１３のハウジングあるいはケースは時計片を閉じたとき、時計片とパネルが配置される箇所は中空ではなくなる。換言すれば特許文献１３には時計裏面に開口やその他の取外し式扉はない。
【特許文献１】ＵＳ特許番号意匠２８５，４１７
【特許文献２】ＵＳ特許番号意匠３０３，５０３
【特許文献３】ＵＳ特許番号意匠３３９，２９９
【特許文献４】ＵＳ特許番号意匠３８０，２９３
【特許文献５】ＵＳ特許番号意匠３９１，８７２
【特許文献６】ＵＳ特許番号１，１６５，２６２
【特許文献７】ＵＳ特許番号２，２１９，２７７
【特許文献８】ＵＳ特許番号４，４４４，５１３
【特許文献９】ＵＳ特許番号４，９０３，２５０
【特許文献１０】ＵＳ特許番号５，３８４，７５６
【特許文献１１】ＵＳ特許番号５，６５７，２９８
【特許文献１２】ＵＳ特許番号５，６６３，９３２
【特許文献１３】ＵＳ特許番号５，３８４，７５６
【発明の開示】
【発明が解決しようとする課題】
【０００９】
本発明の目的は、他人には簡単に分からないが、時計の携帯者は自由にアクセス可能な腕時計に関連する機能的部分を設けることにある。
別の目的は機能的および治療的部分を保持する裏本体を設けた腕時計を提供することである。
【００１０】
本発明の別の目的は時計の裏本体に様々な種類のメッセージを設けることであり、このようなメッセージは書き込まれたメッセージ、美術的メッセージ、芳香メッセージ、音楽メッセージ、その他の可視あるいは音声メッセージとすることができる。
【００１１】
本発明の別の目的は時計の裏本体にまたはこれに関連して、取外し式および／または交換式の機能的および／または治療的部分を設けることである。
本発明の別の目的は遠隔場所に信号を発信する時計を設けることである。
【００１２】
別の目的は秘密あるいは隠された区画を備えた時計を設けることである。
さらに別の目的は書き込まれたメッセージ、美術的メッセージ、芳香メッセージ、音楽メッセージ、可視メッセージ、治療的メッセージあるいは音声メッセージなど、または磁石、絵画、天然石あるいは人工石などを含むメッセージを隠された区画に備えた時計を設けることである。
【００１３】
さらにまた本発明の目的は時計を紛失したときや発見が不可能になったとき、腕時計自体または腕時計携帯者を見付ける信号を発生する機能的部分を裏本体を備えた時計を設けることである。これは夜間時や、雪崩に遭遇した際や、水中などにおいて有効となる。
【００１４】
さらにまた本発明の目的は時計裏本体の機能的および治療的部分にアクセスして使用するようにするため時計面を時計裏本体から開ける手段を設けることである。
【課題を解決するための手段】
【００１５】
発明の前記の目的などは、時計裏本体の有効な装置にアクセスして使用できるように、時計面（時計機能を含む）全体またはその一部が取り外し可能な裏部すなわち裏本体を腕時計に備える手段によって達成される。有効な装置は常設の、取り外し可能な、あるいは交換可能なメッセージであり、時計裏本体上に直接置くか、またはメッセージを保持する適当なディスク上に載置することができる。メッセージは以下に述べる心理的、治療的メッセージ、特別の種類の芳香を発する臭いメッセージ、特別の電子チップで生成されるような音声メッセージ、ある種の水晶あるいは石、写真あるいは絵画、広告あるいは団体のメッセージなどである。この種の腕時計を携帯する者は好ましい装置の目的を得るために、他のものを見ないで、機能的および／または治療的部分に容易にかつ頻繁にアクセスできる。時計は、様々なメッセージが含まれ様々なものが保持される隠された秘密の区画を備える。時計面は円形、正方形、楕円形、矩形など様々な形状にすることができる。
【００１６】
さらに発明には時計の裏本体に取り付ける遠隔場所に伝えることのできる機能的部分が含まれる。これには可視信号、音声信号、臭い信号あるいは電子信号などの信号を発生する手段が含まれる。このような信号は時計の携帯者が観察あるいは認識できるものであり、または第三者にとって遠隔場所で役立つものである。
【発明を実施するための最良の形態】
【００１７】
この発明は時計の裏本体と時計面との間に隠され様々な機能を有する区画が配置された時計が含まれる。隠された区画はメッセージを発するアイテムを保持できる。メッセージは印刷した心理的メッセージとすることができる。メッセージは時計の携帯者にとって便利である。心理学的研究の示すところによれば、人は一日中ずっと積極的で情報を提供するステートメントを行うとき、その人は実際にはエネルギーを発散して変化を与えることがわかった。この研究によると、集中力、運動能力、事業成績および安らかな気持ちが増すと、成果は同様に変化する。その人がこの積極的な手段で時間を使うと、脳の活性を邪魔する日常生活の妨害が実際に減少する。同時にそれは望ましい目標付近に人の意識水準を高める。それは、その人が欲することを達成する本当の手段となる。それはまた力、したがって作用の感覚をより集中的、効果的に増加する手段を与える。本発明の実施形態による時計は自分自身の内的手段と命令の変更を実現するのに役立つ。
【００１８】
ほとんどの人は一日を通じた一日の時間について、また一日で様々なことを行うのに必要な時間量について非常に関心がある。したがって時計は人々が使用する物の非常に重要な部分を占める。本発明のある実施形態による時計には、他人に隠された心理的メッセージのようなメッセージを保持する秘密区画となる時計裏本体のメッセージ領域が設けられる。人が時間を調べようとするときはいつでも、時間を調べようとしないときでも、時計面を時計裏本体から移動させてメッセージを見て心理的利点を得ることができる。メッセージは人が見て繰り返すことのできる内面的声明になり得る。このメッセージはメッセージを見て繰り返すと常に利点が強化される。別の実施形態において使用者の肌に接触する時計に気分検知石が設けられる。使用者の気分に応じてこの石の色彩が変化するので、使用者は変化に集中することができる。
【００１９】
この発明による時計は写真、その他絵画、思い出の品を保持するのに使用できる。このように家族、友人、知人の写真を保持することができる。携帯者の医療情報あるいは他の個人的情報も含むこともできる。勤務先、友好団体、宗教団体あるいは管理団体の住所などの団体または広告に関する情報も含まれる。また、マイクロフィルムと電子チップ、および他の種類の多数の材料の組み合わせなどの秘密情報も含まれる。
【００２０】
最初に図１に閉じた通常の位置における本発明の実施形態を示す。図１は時計バンドを取り付けるため第１の端部５と第２の端部６を有する時計面３を備えた時計アセンブリ１を示す。時計アセンブリ１にはさらに第２の端部６にヒンジ７が付いている。時計アセンブリは閉位置で示す。
【００２１】
次に図２に時計片９をヒンジ７の回りに回転させて開位置にした同じ時計アセンブリ１を示す。時計アセンブリ１には裏面１１が含まれる。時計アセンブリ１はレセス１７が含まれる裏本体１３を備える。レセス１７は側壁１５で囲まれた秘密区画である。レセス１７の底面部はメッセージ保持領域１９として使用される。前記メッセージは心理的メッセージであるのが好ましい。メッセージは文字や画像の手段あるいは後述する別の手段のいずれの形であってもよい。メッセージは常置のもの、取り外し可能なもの、または異なるメッセージに取り換え可能なものとすることができる。
【００２２】
次に図３および図４に別の時計アセンブリ２１を示す。時計アセンブリ２１はヒンジ２５の回りに回転させて開位置にした時計片２３の一部が含まれたものを示す。時計アセンブリ２１には裏本体２９にレセスまたは秘密区画２７が含まれる。取り外し可能なフレーム３１は装着したときは基板２７上の領域３３の位置にくる。フレーム３１にはシート、板あるいはその他のメッセージ保持部材３７を挿入できるフレーム壁３５が含まれる。図３はフレーム３１に装着する前の部材３７を示し、図４はメッセージ保持部材３７を装着したフレーム３１を裏本体２９に移動させる図である。フレーム３１を移動させて、裏本体２９の上に置き裏本体２９のレセス２７に挿入する。レセス２７とフレーム３１の寸法関係は、ある程度隙間なく保持できるが、しかし部材３７の交換の際には容易に取り出せるようにするのが好ましい。または基板の側壁にスロットを形成して、フレーム３１を裏本体２９のレセス２７にスライドさせることもできる。
【００２３】
時計片２１は解除可能なラッチで閉位置に保持し、ボタンその他の仕組みでラッチを外すようにするのが好ましい。スプリングその他の付勢手段で時計片を開位置に付勢することができる。図５から図９は図３，４と同じもの、または修正したものの発明の実施形態を示す。これらの図では、本発明の時計アセンブリは、丸形、楕円形、正方形、（図示する）矩形あるいは他の対称または非対称形の普通の時計のように見えるが、メッセージあるいは他の機能的部分を保持する秘密区画を備えた裏本体があることが隠されている。これらの図には、左側壁４５、右側壁４７、第１壁４９および反対側の第２壁５１に支持された時計面４３を備えた時刻表示装置４１が示される。時計バンド５３は適当な機構で壁４９および５１に結合される。壁４５、４７、４９および５１の内側部分は機能的部分を保持する裏本体の壁を形成する。
【００２４】
本発明の別の実施形態を図１０および１１に示す。時計アセンブリ６１は上部に時計片を取り付けた裏本体６３を備える。裏本体６３は両端で時計バンドを留めるように構成される。時計アセンブリの正面もこの図に示される。時計アセンブリ６１は図１０に示す閉位置から図１１に示す開位置までスライドできる取り外し可能なパネル６５を備える。パネル６５は表示部を備えた取り外し可能なメッセージを保持し、一種の平板であり、プラスチックあるいは金属で作られる。パネル６５は閉位置から開位置に移動できるので、平板６７は選択的に追加したり取り外すことができ、または別の平板と交換することもできる。この平板は前に述べた種類のメッセージを保持している。
【００２５】
発明によるヒンジ式時計の詳細を図１２および１３に示す。時計アセンブリ７１はロック歯７９とともに手動操作可能なラッチ解除部７７で構成されたラッチアセンブリを使用して、ヒンジ７５の回りに回転可能で図１３に示す閉位置に置かれた時計片７３を備える。時計片７３を図１２に示す開位置から図１３に示す閉位置にヒンジ７５の回りに回転させると、ラッチ解除部７７に付いているフィンガー部８１はロック歯７９に係合し、ロック位置においてラッチを解除可能に保持する。ラッチアセンブリの詳細にしたがってラッチ解除部７７を押すか、あるいは一方にスライドさせると、時計片７３は開位置に開く。時計片７３を開位置に付勢するのにスプリングを設ける。アセンブリ７１にガラスパネル８５とメッセージ保持平板を保持するメッセージ区画８７と裏側のプッシュ扉８９とを含むメッセージアセンブリ８３を備える。メッセージを保持するために、裏側のプッシュ扉を開けるか取り外してメッセージ平板をパネル８５に挿入する。メッセージは上方から、すなわち時計片７３の方向から見える向きに置く。それから扉８９を閉めるかもとの場所に戻すと時計アセンブリは使用状態となる。秘密区画は図示されるように扉８９の上部、すなわち時計片７３の下部に配置される。
【００２６】
本発明のさらに別の実施形態の時計アセンブリ９１を図１４および１５に示す。図１４は時計片９３が基板９５の上部に備わり基板９５にまで達するものを示す。時計片９３は裏本体９５に解除可能にロックされる。時計片９３をロック位置から解除するためにラッチ解除部９７を押すか別の方法で操作する。そうすると時計片９３が裏本体９５から離れるので裏本体９５にあるメッセージが見えるようになる。時計片９３と裏本体９５の間の区画は秘密区画とすることができる。
【００２７】
上記実施形態の変形を図１６および１７に示す。この場合、時計アセンブリ１０１には図１６に示すようにデジタル表示部１０３とその下側にデジタル画像１０５のような別の可視アイテムが含まれる。しかし、解除部品１０７を押すか操作するとデジタル画像１０５はメッセージ１０９に置き換わる。デジタル画像１０５は電子画像とすることができ、部品１０７を操作することでその画像はメッセージ１０９に置き換わる。
【００２８】
本発明のさらに別の実施形態を図１８および１９に示す。図１８は時計アセンブリの正面部分には周縁部の時計面１１３と通常モードで作動する時計針１１５を備えた時計アセンブリ１１１を示す。メッセージは見えない。しかし、操作部品１１７を押すと、時計面１１３は補助モードに変わり、メッセージが時計面１１３の内側に現れる。このメッセージは図１９に示すように部品１１７を操作するまでは視認できない。このメッセージは数字で表示される。
【００２９】
本発明のさらに別の実施形態を図２０に示す。この場合、時計アセンブリ１２１は秘密区画に達するか面するスピーカ１２７付き電子音声チップ１２５が裏面部に含まれる時計片１２３で構成される。操作部品を操作するとスピーカ１２７を通して音声メッセージが聞こえる。使用者が自分自身のメッセージを時計片に入れて、所望の際に聞いたり変更することができるマイクロホンアセンブリ１２９を設けることができる。デジタル画像あるいはいくつかのメッセージを裏本体１３１の秘密区画に設けることができる。これに代えてあるいは追加して音声メッセージ以外のメッセージを時計片１２３に含めることができる。例えば、芳香「メッセージ」を発生させる芳香発生器を使用者のために設けることができる。または、時計片１２３に含まれる前述のアイテムはすべて、前に説明した裏本体１３１に含めることができる。この場合時計片１２３は裏本体１３１にあるメッセージおよびメッセージ発生手段のカバーとなる。
【００３０】
図２１に本発明の別の実施形態を示す。この実施形態では時計アセンブリ１４１は時計片１４３が裏本体１４５の壁にヒンジで取り付けられたものが示される。裏本体１４５には、時計片を閉じた状態で下側になる秘密区画に配置され概略的に示した機能的部分１４７が備わる。機能的部分１４５は可視メッセージを示したり、音声メッセージを発したり、臭覚メッセージを発したりすることができ、使用者にとって快適治療あるいは他の効能のため認められた美術的および／または記号的意匠であったり、時計アセンブリあるいは時計アセンブリの携帯者の居場所を示す信号（電子、音声、視覚など）を発することができる。ある場合には、時計片１４３の裏面は「照明領域」１４９で示すように照明される。別の照明領域は符号１５１で示す基板１４５に設けることができる。
【００３１】
図２２は時計アセンブリ１６１を裏側から見たものを示す。メッセージを保持する取外し式平板１６３を時計の裏から取り外して示すが、この平板１６３はメッセージのある時計の裏本体の基板を構成する。時計の取外し式裏壁によって保持される平板としてもよい。図示するように適当な位置まで押し込み、容易に交換することができる。平板１６３が時計アセンブリ１６１の基板を構成する場合は、時計アセンブリ１６１の円形壁１６５内に隙間なく保持できるような寸法にする。ねじ式装置などの他のロッキング手段も同様に使用できる。秘密区画は裏本体の基板と前部の間に存在させることができる。
【００３２】
別の実施形態を図２３および２４に示す。この実施形態では裏本体１７５の壁にヒンジで取り付けた時計片１７３を有する時計アセンブリ１７１が示される。裏本体１７５には秘密区画の中央に気分検知石１７７が埋め込まれる。石１７７の底は石１７７の一部が携帯者の肌を押すように裏本体１７５の底から突出する。石１７７は使用者の平静、怒り、悲しみ、理性喪失などの感情状態に応じて色彩が変化する。携帯者は時計片１７３を裏本体１７５から上方に開いて石１７７を見ることによって自分の感情状態を確かめることができる。それで携帯者は必要に応じて、より通常の心の状態に戻すように自分の態度を変えることができる。時計片１７３の裏面は「照明領域」１７９で示すように照明することができる。
【００３３】
本発明のさらに別の実施形態を図２５に示す。この実施形態では裏本体１８４の壁にヒンジで取り付けた時計片１８２を有する時計アセンブリ１８０が示される。裏本体１８４は可視メッセージ（すなわち写真）、音声メッセージ、あるいは芳香メッセージなどのメッセージを含み、用語「メッセージ」で示されるディスク１８６が含まれる。裏本体１８４には空洞になった内部区画１８８が含まれ、ここにディスク１８６が収納される。ディスク１８６は裏本体１８４の内部区画１８８と同一の形状にするのが好ましい。さらに時計アセンブリ１８０には文字盤部１９２を設け、これをディスク１８６を収納する内部区画に設けることができる。勿論、裏本体１８４あるいは文字盤部１９２のどちらか一方、または両方にディスク１８６のハウジングを設けることができる。図２５に示すように裏本体１８４は、したがってディスク１８６もほぼ正方形である。裏本体１８４は円形、楕円形、三角形、正八角形、正方形、矩形、あるいはその他の多角形とし、そしてディスク１８６はほぼこれと同一形状とすることが考えられる。携帯者は時計片１８２を開けてメッセージを見ることができる。ディスク１８６は取り外し可能で別のディスクと交換できる。使用者が望む場合は、ディスク１８６を取外して別の多数のディスクの中から１つのディスク１９０とだけ交換することができる。前述したようにディスク１８６をメッセージの基板として使用することは必ずしも必要ではなく、それに代って写真メッセージ（すなわち写真）などのメッセージを裏本体１８４の上に直接に載置することもできる。
【００３４】
本発明の特に好ましい実施形態を図２６から図３０に示す。この実施形態では、時計アセンブリの裏本体をねじを緩めて時計本体から取外し、ディスク、写真などを挿入して内側に延びる棚部に置き、そのあと時計アセンブリの裏本体をねじで締めてもとに戻す。簡単な工具としては時計アセンブリの裏本体のスロットに挿入して使用するコインがある。挿入物を保持する区画は隠されている。時計アセンブリの携帯者は文字盤（すなわち時計片）を使用して時計面を時計アセンブリ本体から回転させてディスク、写真などを見ることができる。
【００３５】
時計片２０２を備えた時計アセンブリ２００を図２６から３０に示す。時計アセンブリ２００には取り外し可能な裏本体２０６と裏枠２０８で構成される裏本体アセンブリ２０４が含まれる。裏本体２０６には裏本体にメッセージを固定する舌部２０７と、外周部にねじ２１２が切られコインその他の回転工具を差し込むスロット２１４を備えた裏板とが含まれる。裏枠２０８に裏本体２０６をねじ締めするので、裏枠２０８にはねじ２１２と螺合する内ねじ２１６が切られている。ねじ２１２、２１６は裏板２１０を取り付け取り外す際に必要な回転数を最小にするため差し込みピン式ねじとすることができる。棚部２１８は枠２１８から内側に延びて、枠２０８の端面から距離ｄだけ離れたレセスを形成する。裏本体２０６を図２７に示すように枠２０８に強く締め付ける際に挿入物の動揺を防止するために、裏本体２０６を枠２０８にねじ締めしたあと、時計アセンブリ２００がディスク、写真その他の挿入物を保持するのに隙間がほとんど生じないように距離ｄを決める。棚部２１８は本体部分２２２と座面２２４からなり挿入物が丁度適合する。棚部２１８にはディスク、写真などを保護する透明ガラスあるいはプラスチック片を取り付けるため前方にも面２２６を備えることが好ましい。あるいはメッセージが好ましくない状態にまぶしく光ることを防止するため、ガラスあるいはプラスチック片２２８は省略することができる。時計片２０２の裏部２３０はその裏面２３１を空白にするが、なにかを彫ることもできる。
【００３６】
時計片２０２は適切な種類のヒンジ２３０で時計アセンブリ２００に結合される。ヒンジ２３０は枠２０８の前方壁２３４と時計片２０２の枠２３５の両方に設けられた部品であり、バンド２３７あるいはバンドの保持部２３９と一線上に配置されるのが好ましい。時計片２０２を枠２０８に閉じたとき、巻込み、調整あるいは操作するための手動ボタン２３７を収納するため、枠２０８の前方壁２３４には適当なノッチ２３６を設ける。ヒンジ２０３は時計片２０２をいずれの開き角度でも止めることができるが、特許請求の範囲にある開位置と閉位置の中間の角度よりもむしろ開いた角度で止め得る種類のものが好ましい。
【００３７】
時計片および時計アセンブリを保護するとともに区画の秘密を保つために、時計片をロック位置にラッチする適当な装置が組み込まれる。裏板２１０の内面２１１とガラスまたはプラスチック片２２８の間に１つの区画が、さらに片２２８と時計片２０２の裏面の間に第２の区画が存在する。勿論、前述のように片２２８が省略される場合は区画は１つしかない。時計片２０２を閉じると、時計片は裏本体アセンブリ２０４の上部区画に納まるが、一方メッセージは裏本体アセンブリ２０４の下部区画に固定され、ガラスあるいはプラスチック片２２８を通して見ることができる。特に便利であると分かったロック装置２３８は枠２０８から外側に出たピン２０２を有する引込み式ピンアセンブリ２４０と、時計片２０２をロック位置に保持するためピン２４２を収納する端部閉鎖孔２４６を有し時計片２０２のハウジングから延びたフランジ２４４である。時計アセンブリ２００の携帯者が自分の指で時計片２０２を掴んで回転させるためフランジ２４４には手動のハンドルあるいはノブ２４８を設け、回転させるときは孔２４６回りの縁でピン２４２を引き込ませる。時計片２０２を閉じるときは、これと逆の操作を行う。ノブ２４８には学校、団体などのロゴ、広告メッセージ、団体名、携帯者の名前、略語、イニシヤルなどを記すことができる。
【００３８】
時計アセンブリ２００は非常に便利なユニットである。それは通常の時計のように見え、そのように作動する。写真やディスクなどは秘密区画に対して容易に挿入取出しできる。時計片を閉位置から開位置に回転させるだけで写真、ディスクなどが簡単に見れる。時計片２０２は図示するように携帯者の腕バンド２４０の方向に開けたり、方向矢印Ａで図示するように使用者から離れる方向に回転させることができる。または、時計片２０２は使用者の方向（矢印Ａとは反対の方向）に開けたり、あるいはヒンジ２３０を時計アセンブリ２００のいずれかの横側に移動させていずれかの横側の方向に開けることもできる。
【００３９】
本発明の好ましい追加の実施形態を図３１から図３６に示す。この実施形態では、時計アセンブリの裏本体は時計本体から回転可能であり、ディスク、写真などを裏本体アセンブリに挿入して内側に延びる棚部に収め、そのあと裏本体を回転して裏本体アセンブリまで戻してその箇所にロックするかスナップ留めする。回転可能な裏本体と裏本体アセンブリの間のスリットに工具を挿入して使用すると裏本体を簡単に回転させることができる。挿入物を保持する区画は隠されている。しかし時計アセンブリの携帯者は文字盤（すなわち時計片）を使って時計正面を時計アセンブリ本体から回転させて、ディスク、写真などを見ることができる。
【００４０】
図３１から図３６を参照すると、時計アセンブリ３００は時計片３０２を備えている。また時計アセンブリ３００は回転可能な裏本体３０６と裏枠３０８が含まれる裏本体アセンブリ３０４を備える。時計アセンブリ３００を上下方向に保って時計片３０２の時間が読めるようにしたとき、回転可能な裏本体３０６は裏本体アセンブリ３０４に対して下方向に回転できるように図示されている。回転可能な裏本体３０６は裏本体アセンブリ３０４に対して上方向にも、いずれかの横方向にも、その他の方向にも回転できる。棚部３１１は枠３０８から内側に延び、枠３０８の後面３０７から距離ｄだけ離れてレセスが形成される。距離ｄが存在するので、裏本体３０６が枠３０８の所まで回転したあと、時計アセンブリ３００がディスク、写真あるいは他の挿入物を保持することができる。回転可能な裏本体３０６には基板３０９、環状に持ち上がった平坦な持上げ面３１０および環状側壁３１２が含まれ、環状側壁３１２は基板３０９から持上げ面３１０まで延びる。持上げ面３１０は回転可能な裏本体３０６を裏本体アセンブリ３０４に対して閉じたとき、裏本体アセンブリ０４に挿入物もしくはメッセージが保持できるように平坦になっている。回転可能な裏本体３０６を閉じたとき、持上げ面３１０は枠３０８に対応してその範囲内で丁度適合する。そのためメッセージあるいは挿入物をその箇所に固定できるので挿入物の動揺が防止でき、一方では裏本体３０６をその場所に固定し、かつ使用者が自分の腕に不快を感じないように平坦にさせることが可能となる。棚部３１１は挿入物を入れるため持ち上った本体部分３１３と座面３１５を備える。また棚部３１１は前方に面３４２を備え、ここにディスク、写真などを保護する透明ガラスあるいはプラスチック片３４０を取り付けるのが好ましい。または、メッセージが好ましくない状態にまぶしく光ることを防止するため、ガラスあるいはプラスチック片３４０を省略することもできる。
【００４１】
回転可能な裏本体３０６には回転可能な裏本体の一端にプッシュピンハウジング３１４も含まれる。この例では回転可能な裏本体３０６は裏本体アセンブリ３０４に対して下方に回転するので、ハウジング３１４は裏本体の頂部に取り付けられる。裏本体３０６へのハウジング３１４の正確な位置は回転可能な裏本体３０６が開く方向によって異なる。ハウジング３１４にはそこを通る環状の孔３１６と、環状の上面３１７と、孔３１６を貫通するピン３１８が含まれる。ピン３１８の各端部で引き込み可能なボールベアリング３１９を保持する。
【００４２】
裏本体アセンブリ３０４には区画の棚部３２２、裏壁３２３、対向する側壁３２４を含むプッシュピンハウジング区画３２０が含まれる。対向するそれぞれの側壁３２４に嵌合孔３２６が配設される。回転可能な裏本体３０６を閉じたとき、プッシュピンハウジング３１４はプッシュピンハウジング区画３２０内に収納される。引き込み可能なボールベアリング３１９はハウジング３１４が側壁３２４間に納まるように引き込まれ、そのあとベアリング３１９は対応する嵌合孔３２６内の通常の位置に戻る。引き込み可能なボールベアリング３１９が対応する嵌合孔３２６に嵌合することによって、裏本体アセンブリ３０４に対する閉じた位置において回転可能な裏本体３０６がロックあるいはスナップ留めされることになり、それによってメッセージあるいは挿入物が内部に確実に保持される。回転可能な裏本体３０４を閉じると、ハウジング３１４は区画３２０内に保持される。区画３２０の上部に空間３２１が残り、この空間３２０にハウジング３１４を区画３２０から取り出す工具を入れることができるので、裏本体３０４を開くことができる。言いかえれば、時計携帯者が裏本体３０４にアクセスしようとすれば、コインなどの工具を空間３２１に差し込んでハウジング３１４を区画３２０から動かすことができる。
【００４３】
回転可能な裏本体３０６にはプッシュピンハウジング３１４と反対側の端部に回転可能な裏本体３０６を回転可能に支持する裏本体アセンブリ３０４の回転アセンブリ３２８が含まれる。特に図３６を参照すると、回転アセンブリ３２８はピン３３６を収納するため貫通する空孔３３４を有するピンハウジング３３０が含まれる。ピン３３６は前に述べたプッシュピン３１８のように引き込み可能であってもよいし、引き込みできないものであってもよい。対向配置された２つの別の孔３３８は孔３３４に対応する裏面３０７の内側部分に設けられる。ピン３３６は孔３３４を貫通し、面３０７上のそれぞれの孔３３８内に挿入される。前記区画３２０と好ましくは構造が類似する第２のピンハウジング区画３３２が、ピンハウジング３３０とピンアセンブリ３２８が中で回転できる裏本体アセンブリに設けられる。勿論、ここに記載の回転アセンブリ３２８は裏本体３０６が裏本体アセンブリ３０４に対してどのように回転するかの一例であり、ヒンジアセンブリなどの他の同等の方法を使用することができる。
【００４４】
時計片３０２は前の実施形態で述べた同じ方法で時計アセンブリ３００のヒンジ部に結合される。時計片３０２と時計アセンブリ３００の結合のすべての特徴は、時計アセンブリ３００に対する時計片３０２の開閉に関する前述のすべての特徴とともに本明細書に含まれる。その詳細な記述は簡潔にするために省略する。
【００４５】
前述の実施形態は置き時計にも使用できる。例えば、ヒンジなどで移動する時計移動部のある置き時計を閉位置から開けて、メッセージ保持平板あるいは他の機能的部分を有する時計裏部を露出させることができる。この概念はロケット、ペンダント、指輪などのような他の時計器具にも使用できる。
【００４６】
本発明は特に好ましい実施形態に重点をおいて詳細に述べてきたが、本発明の分野における専門家にはバリエーションや修正もありうる。
【図面の簡単な説明】
【００４７】
【図１】本発明の実施形態である閉位置での時計面を示す斜視図である。
【図２】本発明の実施形態である開位置での時計面を示す斜視図である。
【図３】本発明の他の実施形態である持ち上げた時計面とメッセージをフレーム内に入れたメッセージ保持フレームを示す斜視図であり、フレームは時計裏本体に移動可能である。
【図４】本発明の他の実施形態である持ち上げた時計面とメッセージをフレーム内に入れたメッセージ保持フレームを示す斜視図であり、フレームは時計裏本体に移動可能である。
【図５】図７に示した時計の側面を示す。
【図６】図７に示した時計の側面を示す。
【図７】図３および４に示した実施形態の正面図である。
【図８】図７に示した時計の側面を示す。
【図９】図７に示した時計の側面を示す。
【図１０】本発明の別の実施形態の裏部を見た図であり、メッセージを保持するスライド可能なフレームを示す。
【図１１】メッセージをフレームに挿入する方法を示す。
【図１２】本発明の実施形態の部分断面図であり、時計面を開いた場合を示す。
【図１３】本発明の実施形態の部分断面図であり、時計面を閉じた場合を示す。
【図１４】時計裏本体にメッセージを表す手段を有する本発明の別の実施形態を示す。
【図１５】時計裏本体にメッセージを表す手段を有する本発明の別の実施形態を示す。
【図１６】図１４および図１５に示した実施形態のバリエーションを示す。
【図１７】図１４および図１５に示した実施形態のバリエーションを示す。
【図１８】発明による時計裏本体にメッセージを表すプッシュボタン手段を表す手段を有する本発明のさらに別の実施の形態を示す。
【図１９】発明による時計裏本体にメッセージを表すプッシュボタン手段を表す手段を有する本発明のさらに別の実施の形態を示す。
【図２０】デジタル画像を時計裏本体に保持する本発明の別の実施形態を示す。
【図２１】時計面を時計裏本体からヒンジで移動させた本発明の別の実施形態であり、時計の裏部に機能的部分が存在する。時計の裏部または裏本体は照明される。
【図２２】本発明の別の実施形態による円形時計を示し、メッセージ保持ユニットが時計裏本体または時計裏本体の一部として挿入される。
【図２３】時計裏本体に石を埋め込んだ本発明の別の実施形態を示す。
【図２４】時計を付けたとき石の一部が携帯者の腕に接触するように裏本体の裏面から突出する埋め込んだ石を示す図２３に示した本発明の実施形態の後面斜視図を示す。
【図２５】時計裏本体に取外し可能なディスクを備えた本発明の別の実施形態を示す。
【図２６】本発明の別の実施形態の正面斜視図である。
【図２７】本発明の別の実施形態の後面斜視図である。
【図２８】図２６、２７で時計片の位置を上げたときの本発明の実施形態の斜視図である。
【図２９】図２６−２８で時計アセンブリから裏本体を除いたものを示す本発明の実施形態の後面斜視図である。
【図３０】図２６−２９に示した実施形態のラッチ装置の斜視詳細図である。
【図３１】本発明の別の実施形態の後面斜視図である。
【図３２】図３１に示した実施形態の後面斜視図である。
【図３３】図３１−３２に示した実施形態の側面図であり、回転可能な裏扉は開き、時計片は開および閉の両方の位置にある。
【図３４】図３１−３３に示した実施形態の固定装置の分解側面図である。
【図３５】図３４に示した固定装置に対応する片の分解斜視図である。
【図３６】図３１−３５に示した実施形態の回転アセンブリの斜視図である。
【図１】
2005528624.tif 000003
【図２】
2005528624.tif 000004
【図３】
2005528624.tif 000005
【図４】
2005528624.tif 000006
【図５】
2005528624.tif 000007
【図６】
2005528624.tif 000008
【図７】
2005528624.tif 000009
【図８】
2005528624.tif 000010
【図９】
2005528624.tif 000011
【図１０】
2005528624.tif 000012
【図１１】
2005528624.tif 000013
【図１２】
2005528624.tif 000014
【図１３】
2005528624.tif 000015
2005528624.tif 000016
2005528624.tif 000017
2005528624.tif 000018
【図２０】
2005528624.tif 000019
【図２１】
2005528624.tif 000020
【図２２】
2005528624.tif 000021
【図２３】
2005528624.tif 000022
【図２４】
2005528624.tif 000023
【図２５】
2005528624.tif 000024
【図２６】
2005528624.tif 000025
【図２７】
2005528624.tif 000026
【図２８】
2005528624.tif 000027
【図２９】
2005528624.tif 000028
【図３０】
2005528624.tif 000029
【図３１】
2005528624.tif 000030
【図３２】
2005528624.tif 000031
【図３３】
2005528624.tif 000032
【図３４】
2005528624.tif 000033
【図３５】
2005528624.tif 000034
【図３６】
2005528624.tif 000035
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
時計文字盤と下面とを備えた時計片と、
ハウジングが含まれ、ねじを切った枠を有し、前記時計片を支持する裏本体アセンブリと、
前記裏本体アセンブリの外側に設けられ、ねじ付き枠に螺合させるため周囲にねじを切った裏板を有し、上面は平坦でメッセージを収納するメッセージ保持部材となり、周囲に支持舌部を有する取外し式扉と、
前記時計片を前記裏本体アセンブリに取り付ける取付け部品と、
前記取外し式メッセージ保持部材を収納するため前記裏本体アセンブリと前記時計片の間に形成され、前記時間片を前記裏本体アセンブリングに対して閉じたときに隠される秘密区画と
から構成された時計アセンブリ。
【請求項２】
前記取外し式扉の前記メッセージ保持部材と前記時計片の下面との間の前記ハウジング  
内に透明パネルが設けられた請求項１に記載の時計アセンブリ。
【請求項３】
前記透明パネルの材料はガラスおよびプラスチックからなる群から選択された１つの材料である請求項２に記載の時計アセンブリ。
【請求項４】
前記透明パネルを前記秘密区画に配置することによって前記透明パネルと前記時計片の下面との間に上部区画が、また前記透明パネルと前記取外し式扉との間に下部区画が形成される請求項３に記載の時計アセンブリ。
【請求項５】
前記取付け部品は前記時計片と前記裏本体アセンブリを互に結合するヒンジで構成され、前記時間片は閉位置から開位置まで前記裏本体アセンブリ上で回転可能であり、前記時間片を開位置にしたとき前記秘密区画が見えるようになる請求項１に記載の時計アセンブリ。
【請求項６】
前記裏本体アセンブリに対して前記時計片を回転させるため前記時計片に把持部品が含まれる請求項５に記載の時計アセンブリ。
【請求項７】
前記把持部品はメッセージを保持する面を備える請求項５に記載の時計アセンブリ。
【請求項８】
前記取外し式扉は前記裏本体アセンブリの前記ねじ付き裏板と前記取外し式扉の前記ねじ付き枠との螺合によって前記裏本体アセンブリに固定され、前記取外し式扉の前記裏板の外面には前記裏本体アセンブリに対して前記扉にねじ締め回転工具を差し込むスロットが設けられた請求項１に記載の時計アセンブリ。
【請求項９】
前記時計片を閉位置に保持するロック装置を設けた請求項１に記載の時計アセンブリ。
【請求項１０】
前記ロック装置は
前記裏本体アセンブリから延びるピンと、
前記時計片が閉位置にあるとき時計片をその位置にロックするため、前記ピンを収納することのできる前記時計片のフランジと、
前記時計片を前記裏本体アセンブリから移動する前記フランジに取リ付けたノブとから構成されたピンアセンブリである請求項９に記載の時計アセンブリ。
【請求項１１】
前記メッセージ保持部材と前記ハウジングはほぼ同一形状である請求項１に記載の時計アセンブリ。
【請求項１２】
前記メッセージ保持部材および前記ハウジングは三角形、正方形、円形、楕円形、八角形、矩形および多角形からなる群から選択された１つの形状を有する請求項１１に記載の時計アセンブリ。
【請求項１３】
前記メッセージ保持部材上の前記メッセージは可視メッセージ、記号意匠、絵画および写真からなる群からなる選択されたものである請求項１１に記載の時計アセンブリ。
【請求項１４】
時計文字盤と下面とを備えた時計片と、
ハウジングが含まれ、枠を有し、前記時計片を支持する裏本体アセンブリと、
前記裏本体アセンブリの外側に設けられた回転式扉であって、第１のピンを収納するため貫通した孔を有する第１のハウジングと、第２のピンを収納するため貫通した孔を有する第２のハウジングを備え、前記回転式扉から上方に延びる環状壁によって持上げ面が形成された回転式扉と、
前記時計片を前記裏本体アセンブリに取り付ける取付け部品と、
前記回転式扉の前記持上げ面を収納するため前記裏本体アセンブリと前記時計片の間に形成され、前記時間片を前記裏本体アセンブリングに対して閉じたときに隠される秘密区画と
から構成された時計アセンブリ。
【請求項１５】
前記回転式扉の前記持上げ面と前記時計片の下面との間の前記ハウジング内に透明パネルが設けられた請求項１４に記載の時計アセンブリ。
【請求項１６】
前記裏本体アセンブリには第１の区画と第２の区画が含まれ、２つの前記区画は前記裏本体アセンブリに対向配置されて前記各ハウジングを内部に収納して固定することができ、前記第１の区画および前記第２の区画には裏壁と対向配置された一対の側壁と底壁とが含まれる請求項１４に記載の時計アセンブリ。
【請求項１７】
前記第１の区画の前記側壁には貫通する孔が形成され、前記第２の区画の前記側壁には嵌合孔が形成される請求項１６に記載の時計アセンブリ。
【請求項１８】
前記第１のハウジングは前記裏扉を前記裏本体アセンブリに対して回転させるため前記第１の区画内で回転可能である請求項１４に記載の時計アセンブリ。
【請求項１９】
前記第２のハウジングは前記第２の区画から取外し可能である請求項１４に記載の時計アセンブリ。
【請求項２０】
前記第１および第２のピンはそれぞれ第１および第２の端部を備え、少なくとも１つの前記ピンは、１つは前記第１の端部に他の１つは前記第２の端部に一対で設けられた引込み式ボールベアリングで構成され、前記第２の区画の嵌合孔は前記回転式扉を閉じた状態に固定するため前記引込み式ボールベアリングを収納する請求項１４に記載の時計アセンブリ。
【請求項２１】
時計文字盤と裏側を備えた時計片と、前記時計片を支持する上部枠および下部枠を有する支持部材と、前記上部枠と前記下部枠の間にある壁とで構成された時計アセンブリにおいて、
前記下部枠を開閉する前記支持部材に扉が結合され、前記扉は前記支持部材の隠される区画を形成する閉位置と前記隠される区画にアクセス可能となる開位置との間で前記下部枠によって移動可能である時計アセンブリ。
【請求項２２】
前記扉は前記支持部材にヒンジで取り付けられ、開閉位置の間で回転可能である請求項２１に記載の時計アセンブリ。
【請求項２３】
前記支持部材は前記時計アセンブリを一定方向に延びる時計バンドに取り付ける時計バンド支持構造を構成し、かつ前記時計アセンブリには前記一定方向に垂直な軸の回りに前記時計片を回転可能にするヒンジアセンブリが含まれた請求項２１に記載の時計アセンブリ。
【請求項２４】
前記扉を前記支持部材から取り外し可能にするために、前記閉位置のときは前記扉は前記下部枠に係合し、前記開位置にときは前記扉は前記下部枠から取り外し可能とされる請求項２１に記載の時計アセンブリ。
【請求項２５】
前記上部枠を開閉する前記支持部材に前記時計片は結合され、前記時計片は前記支持部材の隠される区画を形成する閉位置と前記隠される区画にアクセス可能となる開位置との間で前記上部枠によって移動可能である請求項２１に記載の時計アセンブリ。
【請求項２６】
前記支持部材は前記支持部材を一定方向に延びる時計バンドに取り付ける時計バンド支持構造を構成し、かつ前記時計アセンブリには前記一定方向に垂直な軸の回りに前記時計片を回転可能にするヒンジアセンブリが含まれた請求項２５に記載の時計アセンブリ。
【請求項２７】
前記扉および前記時計片がそれぞれ閉位置にあるとき２つの隠される区画を形成する前記上部枠と前記下部枠の間に配置されたパネルがさらに含まれた請求項２５に記載の時計アセンブリ。
【国際調査報告】
2005528624.tif 000036